(57)【要約】【課題】複数の住戸の監視データを広域的に監視して、その結果を対応する居住人のユーザ端末へ送信することが可能な広域監視システムを提供する。【解決手段】データ収集装置１はＷｅｂサーバ機能を有して、各住戸に設置されており、所定の監視対象に関する監視データを検出する検出手段と、検出手段により検出された監視データを、当該データ収集装置１に割り当てられたアドレス情報とともに、データ集計サーバ２に送信する送信手段を備えている。データ集計サーバ２は、通信ネットワークＮＴを介した通信を行う通信手段と、通信手段が各データ収集装置１から受信した各住戸の監視データをアドレス情報と対応付けて記憶する記憶手段と、記憶手段から読み出した各住戸の監視データをもとに監視対象を広域的に監視するとともに、監視結果を示す広域情報を通信手段から、各住戸の居住人が使用するユーザ端末３へ送信させる広域監視手段とを備える。【選択図】図１
2009253640.tif 000002
【特許請求の範囲】
【請求項１】
それぞれＷｅｂサーバ機能を有して複数の住戸にそれぞれ設置された複数のデータ収集装置と、複数のデータ収集装置により収集されたデータを集計するデータ集計サーバと、各住戸の居住人が使用するユーザ端末とが通信ネットワークを介して接続され、
各データ収集装置が、所定の監視対象に関する監視データを検出する検出手段と、検出手段により検出された監視データを、当該データ収集装置に割り当てられたアドレス情報とともに、データ集計サーバに送信する送信手段を備えるとともに、
データ集計サーバが、ネットワークを介した通信を行う通信手段と、通信手段が各データ収集装置から受信した各住戸の監視データをアドレス情報と対応付けて記憶する記憶手段と、記憶手段から読み出した各住戸の監視データをもとに前記監視対象を広域的に監視するとともに、所定のトリガ入力に応じて監視結果を示す広域情報を前記通信手段から各ユーザ端末へ送信させる広域監視手段とを備えたことを特徴とする広域監視システム。
【請求項２】
前記検出手段が、対応する住戸への侵入経路を検知エリアとし、当該検知エリアにおいて監視対象である人の存否を検出する人感センサからなり、
前記データ集計サーバの前記広域監視手段は、何れかの住戸の人感センサで人が検出されると、当該住戸の人感センサが人を検出したことを示す広域情報を出力し、当該広域情報を前記通信手段が前記各ユーザ端末に送信することを特徴とする請求項１記載の広域監視システム。
【請求項３】
前記検出手段が、対応する住戸において監視対象の火災を検知する火災検知センサからなり、
前記データ集計サーバの前記広域監視手段は、何れかの住戸の火災検知センサで火災が検知されると、当該住戸の火災検知センサが火災を検知したことを示す広域情報を出力し、当該広域情報を前記通信手段が前記各ユーザ端末に送信することを特徴とする請求項１記載の広域監視システム。
【請求項４】
前記検出手段が、対応する住戸の敷地内に設置されて監視対象である降雨状況を検知する降雨センサからなり、
前記データ集計サーバの前記広域監視手段は、何れかの住戸の降雨センサで降雨状態が検知されると、当該住戸の降雨センサが降雨状態を検知したことを示す広域情報を出力し、当該広域情報を前記通信手段が前記各ユーザ端末に送信することを特徴とする請求項１記載の広域監視システム。
【請求項５】
各住戸の居住人が所持する記憶媒体が、少なくとも個人識別情報を含む情報を予め記憶して、当該情報を無線通信によって外部から読取可能であって、
前記各検出手段は、住宅の外側に配置され監視対象である記憶媒体との間で無線通信を行うことによって、当該記憶媒体から個人識別情報を読み取る無線通信手段からなり、
前記データ収集装置は、対応する住戸の居住人に割り当てた個人識別情報を記憶する記憶手段と、無線通信手段が読み取った個人識別情報を記憶手段に登録されている個人識別情報と照合する照合手段とを備え、照合手段による照合の結果、無線通信手段の読み取った個人識別情報が記憶手段に登録された個人識別情報に一致すれば、一致した個人識別情報を報知する監視データが送信手段からデータ集計サーバに送信され、
前記データ集計サーバの前記広域監視手段は、何れかのデータ収集装置から個人識別情報を報知する監視データが入力されると、入力された個人識別情報に対応する居住人の帰宅を報知する報知信号を、通信手段から予め登録されたユーザ端末へ送信させることを特徴とする請求項１記載の広域監視システム。
【請求項６】
前記各検出手段が、対応する住戸に設けられた監視対象の植物栽培用地の環境情報を検知する環境検知センサからなり、環境検知センサにより検知された環境情報が送信手段からデータ集計サーバに送信されるとともに、
前記データ集計サーバの前記記憶手段に、各住戸の環境検知センサから受信した環境情報が記憶され、前記広域監視手段は、記憶手段から読み出した各住戸の植物栽培用地の環境情報を所定の基準データと比較した結果を前記通信手段から対応するユーザ端末へ送信させることを特徴とする請求項１記載の広域監視システム。
【発明の詳細な説明】
【技術分野】
【０００１】
本発明は、広域監視システムに関するものである。
【背景技術】
【０００２】
従来、ドアホン子器と親機との間でインターホン通話を行うインターホン機能と、各種住宅設備の制御監視機能と、防犯・防災等のセキュリティ機能とが、システムの中核をなす親機に統合された住宅用制御・監視統合システムが提供されていた（例えば特許文献１参照）。
【０００３】
上記公報に開示された住宅用制御・監視統合システムでは、インターネットとの間で情報を授受する通信手段が親機に設けられており、防犯センサなどのセキュリティ関連のセンサから検知入力が親機に入力されると、親機が、警報を発報するとともに、予め登録されているメールアドレス宛に警報発報を示す電子メールを通信手段により送信させるようになっている。
【特許文献１】特開２００４−１３５１９７号公報
【発明の開示】
【発明が解決しようとする課題】
【０００４】
上述した従来の住宅用監視システムでは、あるユーザの住戸で警報が発報されると、その住戸に居住するユーザのメールアドレス宛に警報発報を報知する電子メールが送信されるのであるが、各住戸のセンサによる検知入力を広域的に監視して、各ユーザが所有する端末へ送信するようなシステムは従来提供されていなかった。
【０００５】
本発明は上記問題点に鑑みて為されたものであり、その目的とするところは、複数の住戸の監視データを広域的に監視して、その結果を対応する居住人のユーザ端末へ送信することが可能な広域監視システムを提供することにある。
【課題を解決するための手段】
【０００６】
上記目的を達成するために、請求項１の発明は、それぞれＷｅｂサーバ機能を有して複数の住戸にそれぞれ設置された複数のデータ収集装置と、複数のデータ収集装置により収集されたデータを集計するデータ集計サーバと、各住戸の居住人が使用するユーザ端末とが通信ネットワークを介して接続され、各データ収集装置が、所定の監視対象に関する監視データを検出する検出手段と、検出手段により検出された監視データを、当該データ収集装置に割り当てられたアドレス情報とともに、データ集計サーバに送信する送信手段を備えるとともに、データ集計サーバが、ネットワークを介した通信を行う通信手段と、通信手段が各データ収集装置から受信した各住戸の監視データをアドレス情報と対応付けて記憶する記憶手段と、記憶手段から読み出した各住戸の監視データをもとに監視対象を広域的に監視するとともに、所定のトリガ入力に応じて監視結果を示す広域情報を通信手段から各ユーザ端末へ送信させる広域監視手段とを備えたことを特徴とする。
【０００７】
請求項２の発明は、請求項１の発明において、検出手段が、対応する住戸への侵入経路を検知エリアとし、当該検知エリアにおいて監視対象である人の存否を検出する人感センサからなり、データ集計サーバの広域監視手段は、何れかの住戸の人感センサで人が検出されると、当該住戸の人感センサが人を検出したことを示す広域情報を出力し、当該広域情報を通信手段が各ユーザ端末に送信することを特徴とする。
【０００８】
請求項３の発明は、請求項１の発明において、検出手段が、対応する住戸において監視対象の火災を検知する火災検知センサからなり、データ集計サーバの広域監視手段は、何れかの住戸の火災検知センサで火災が検知されると、当該住戸の火災検知センサが火災を検知したことを示す広域情報を出力し、当該広域情報を通信手段が各ユーザ端末に送信することを特徴とする。
【０００９】
請求項４の発明は、請求項１の発明において、検出手段が、対応する住戸の敷地内に設置されて監視対象である降雨状況を検知する降雨センサからなり、データ集計サーバの広域監視手段は、何れかの住戸の降雨センサで降雨状態が検知されると、当該住戸の降雨センサが降雨状態を検知したことを示す広域情報を出力し、当該広域情報を通信手段が各ユーザ端末に送信することを特徴とする。
【００１０】
請求項５の発明は、請求項１の発明において、各住戸の居住人が所持する記憶媒体が、少なくとも個人識別情報を含む情報を予め記憶して、当該情報を無線通信によって外部から読取可能であって、各検出手段は、住宅の外側に配置され監視対象である記憶媒体との間で無線通信を行うことによって、当該記憶媒体から個人識別情報を読み取る無線通信手段からなり、データ収集装置は、対応する住戸の居住人に割り当てた個人識別情報を記憶する記憶手段と、無線通信手段が読み取った個人識別情報を記憶手段に登録されている個人識別情報と照合する照合手段とを備え、照合手段による照合の結果、無線通信手段の読み取った個人識別情報が記憶手段に登録された個人識別情報に一致すれば、一致した個人識別情報を報知する監視データが送信手段からデータ集計サーバに送信され、データ集計サーバの広域監視手段は、何れかのデータ収集装置から個人識別情報を報知する監視データが入力されると、入力された個人識別情報に対応する居住人の帰宅を報知する報知信号を、通信手段から予め登録されたユーザ端末へ送信させることを特徴とする。
【００１１】
請求項６の発明は、請求項１の発明において、各検出手段が、対応する住戸に設けられた監視対象の植物栽培用地の環境情報を検知する環境検知センサからなり、環境検知センサにより検知された環境情報が送信手段からデータ集計サーバに送信されるとともに、データ集計サーバの記憶手段に、各住戸の環境検知センサから受信した環境情報が記憶され、広域監視手段は、記憶手段から読み出した各住戸の植物栽培用地の環境情報を所定の基準データと比較した結果を通信手段から対応するユーザ端末へ送信させることを特徴とする。
【発明の効果】
【００１２】
請求項１の発明によれば、データ集計サーバでは、通信手段が各データ収集装置から受信した各住戸の監視データをアドレス情報と対応付けて記憶手段に記憶させ、広域監視手段が、記憶手段から読み出した各住戸の監視データをもとに監視対象を広域的に監視するとともに、監視結果を示す広域情報を通信手段から各ユーザ端末へ送信させているので、複数の住戸の環境情報を広域的に監視することができ、また、所定のトリガ入力に応じて監視結果を示す広域情報をユーザ端末へ送信しているので、複数の住戸の居住人で広域情報を共有することが可能になる。
【００１３】
請求項２の発明によれば、データ集計サーバの広域監視手段は、何れかのデータ収集装置の人感センサで人が検出されると、当該住戸の人感センサが人を検出したことを示す広域情報を出力し、当該広域情報を通信手段が各ユーザ端末に送信しているので、データ集計サーバによって複数の住戸への侵入者の有無を広域的に監視できるという効果がある。またデータ集計サーバは監視結果を示す広域情報を各ユーザ端末へ送信しているので、各住戸の居住人は自宅や近隣の住戸への侵入者の有無を広域的に把握でき、自宅や近隣の住戸に侵入者が侵入した場合に、警戒や通報などの対応をとることが可能になる。
【００１４】
請求項３の発明によれば、データ集計サーバの広域監視手段は、何れかのデータ収集装置の火災検知センサで火災が検出されると、当該住戸の火災検知センサが火災を検出したことを示す広域情報を出力し、当該広域情報を通信手段が各ユーザ端末に送信しているので、データ集計サーバによって複数の住戸での火災の有無を広域的に監視できるという効果がある。またデータ集計サーバは監視結果を示す広域情報を各ユーザ端末へ送信しているので、各住戸の居住人は自宅或いは近隣の住戸での火災の有無を容易に把握でき、自宅や近隣の住戸で火災が発生した場合に、避難や救助などの対応をとることが可能になる。
【００１５】
請求項４の発明によれば、データ集計サーバの広域監視手段は、何れかのデータ収集装置の降雨センサで降雨が検出されると、当該住戸の降雨センサが降雨を検出したことを示す広域情報を出力し、当該広域情報を通信手段が各ユーザ端末に送信しているので、データ集計サーバによって複数の住戸での降雨状況を広域的に監視することができる。またデータ集計サーバは監視結果を示す広域情報を各ユーザ端末へ送信しているので、各住戸の居住人は自宅周辺の降雨状況を把握でき、洗濯物を取り入れたり外出時の雨対策をするといった対応をとることが可能になるという効果がある。
【００１６】
請求項５の発明によれば、何れかのデータ収集装置の無線通信手段が居住人の所持する記憶媒体から読み取った個人識別情報と、記憶手段に登録されている個人識別情報とを照合手段が照合した結果、両者が一致すると、一致した個人識別情報を報知する監視データがデータ収集装置の送信手段からデータ集計サーバに送信されるので、データ集計サーバの広域監視手段では、各住戸の居住人の帰宅状況を広域的に監視することができる。また広域監視手段は、入力された個人識別情報に対応する居住人の帰宅を報知する報知信号を、通信手段から予め登録されたユーザ端末へ送信させているので、ユーザ端末の表示をもとに他の居住人の帰宅状況を遠隔から確認して、何らかの対応をとることができる。
【００１７】
請求項６の発明によれば、データ集計サーバの記憶手段には、データ収集装置の環境検知センサにより検知された環境情報が記憶され、広域監視手段では、記憶手段から読み出した各住戸の植物栽培用地の環境情報を所定の基準データと比較した結果を、通信手段から対応するユーザ端末へ送信させているので、各住戸の植物栽培用地の環境情報を広域的に監視することができる。また広域監視手段は、入力された個人識別情報に対応する居住人の帰宅を報知する報知信号を、通信手段から予め登録されたユーザ端末へ送信させているので、各住戸の居住人はユーザ端末の表示をもとに、植物栽培用地の生育環境を整えることができる。
【発明を実施するための最良の形態】
【００１８】
以下に本発明の実施の形態を図面に基づいて説明する。
【００１９】
（実施形態１）
本発明の実施形態１について図１〜図６を参照して説明する。図１は本実施形態の広域監視システムＡの全体構成を示す概略構成図である。広域監視システムＡは、複数の住戸にそれぞれ設置される複数台のデータ収集装置（所謂フィールドサーバ）１と、広域監視サービスのサービス提供事業者が運営するデータ集計サーバ２（所謂ローカルサーバ）と、各住戸の居住人が使用するユーザ端末３，４とを主要な構成として備えている。本システムＡにおいて、データ収集装置１とデータ集計サーバ２とユーザ端末３とはインターネットのような通信ネットワークＮＴを介して相互にデータ通信が行えるようになっている。
【００２０】
居住人が使用するユーザ端末３，４は、例えばＷｅｂブラウザがインストールされたパーソナルコンピュータによって構成されている。またユーザ端末４は、ＩＥＥＥ８０２．１１ｂの規格に準拠した無線ＬＡＮモジュールを備え、データ収集装置１との間で直接無線通信を行うことによって、データ収集装置１との間でデータの授受が行えるようになっている。なおユーザ端末３は、Ｗｅｂブラウザがインストールされたパーソナルコンピュータに限定されるものではなく、通信ネットワークＮＴを介してデータ通信が可能であれば、携帯電話やＰＤＡ（Personal Digital Assistant）やテレビジョン装置などでユーザ端末を構成しても良い。またユーザ端末４も、Ｗｅｂブラウザがインストールされたパーソナルコンピュータに限定されるものではなく、無線ＬＡＮモジュールを備えた端末であれば、携帯電話やＰＤＡなどの端末でも良い。
【００２１】
複数台のデータ収集装置１は、それぞれ対応する住戸の敷地内に設置されて、所定の監視対象に関する監視データを検出する。複数台のデータ収集装置１にはそれぞれ固有のアドレス情報（ＩＰアドレス）が割り当てられるとともに、各データ収集装置１は無線ＬＡＮアクセスポイント５との間で無線通信を行う無線ＬＡＮモジュールを備えており、無線ＬＡＮアクセスポイント５を介して通信ネットワークＮＴに接続され、通信ネットワークＮＴを介してデータ集計サーバ２およびユーザ端末３との間で相互にデータ通信を行うことができる。
【００２２】
図３はデータ収集装置１の外観斜視図であり、データ収集装置１は、上下方向に細長い直方体状に形成された装置本体３５の内部に図２に示す回路ブロックを収納している。装置本体３５の底部にはポール３６が連結されており、ポール３６を地面にさした状態で使用される。また後述するようにデータ収集装置１には、外付けのセンサとして温湿度センサ２６やカメラブロック２７が接続可能であり、これらの外付けセンサはデータ収集装置１とは別の場所に設置された支柱３７に取着され、データ収集装置１との間は電線３８を介して電気的に接続されている。
【００２３】
次にデータ収集装置１の構成を図２のブロック図に基づいて説明する。データ収集装置１は、ＣＰＵブロック１０と、無線通信部１１と、データ収集部１２と、センサＩ／Ｆ部１３と、データ表示部１４と、内部環境計測部１５と、内部環境制御部１６と、内蔵の温湿度センサ１７と、電源部１８とを主要な構成として備えるとともに、ＣＰＵブロック１０は、無線通信制御部１０ａとデータ制御部１０ｂとデータ演算部１０ｃとデータ記憶部１０ｄとを具備している。なお、データ処理装置１にはデータ収集のためのプログラムが予め組み込まれており、このデータ収集プログラムを実行することによって、ＣＰＵブロック１０の演算機能により無線通信制御部１０ａとデータ制御部１０ｂとデータ演算部１０ｃとデータ記憶部１０ｄとが実現されている。
【００２４】
無線通信部１１は無指向性のアンテナを有し、ユーザ端末４又は無線ＬＡＮアクセスポイント５との間で無線通信を行うために用いられる。
【００２５】
センサＩ／Ｆ部１３は、内蔵の温湿度センサ１７が接続されるとともに、所定の監視対象に関する監視データを検出する検出手段として外付けの各種センサ１９〜２６あるいはカメラブロック２７が接続されるインターフェイスである。
【００２６】
データ収集部１２は、センサＩ／Ｆ部１３を介して、内蔵の温湿度センサ１７からの検出データや、カメラブロック２７からの画像データや、外付けの各種センサ１９〜２６からの検出データを所定のサンプリング周期で収集するとともに、収集した監視データをＣＰＵブロック１０に出力する。
【００２７】
温湿度センサ１７は、例えば白金測温抵抗体などの温度センサと、電気抵抗式或いは電気容量式の湿度センサとを組み合わせて構成される。温湿度センサ１７は、データ収集装置１の設置場所における雰囲気の温度および湿度を検出するために用いられ、検出された雰囲気温度および雰囲気湿度はセンサＩ／Ｆ部１３を介してデータ収集部１２に出力される。
【００２８】
内部環境計測部１５は、例えば白金測温抵抗体などの温度センサと、電気抵抗式或いは電気容量式の湿度センサとを組み合わせて構成され、上述した装置本体３５内部の温度および湿度を検出するために用いられる。内部環境制御部１６は、内部環境計測部１５の計測結果に基づいて、装置本体３５に設けたファン（図示せず）やヒータ（図示せず）や冷却装置（図示せず）などを制御することで、装置本体３５内部の温度や湿度を所定範囲に制御するものであり、外気温変化や雨氷や日射などの影響で内部環境が変化することによって、内蔵された電子部品が誤動作を起こさないように内部環境を制御している。
【００２９】
電源部１８は、商用電源、バッテリ或いはソーラーパネル（図示せず）から電力供給を受けて、内部回路やセンサＩ／Ｆ部１３に接続される外付けセンサに動作電力を供給する。
【００３０】
ＣＰＵブロック１０はデータ収集装置１の全体的な制御を行うものであり、データ演算部１０ｃは、データ収集部１２によって各種センサから収集された生のデータ（例えば電圧値など）を、ユーザが理解できる所定の単位のデータ（例えば温度や湿度など）に変換する。
【００３１】
データ制御部１０ｂは、データ演算部１０ｃから入力されるデータの内部処理を行うものであり、データ演算部１０ｃから入力されたデータを一定時間分だけデータ記憶部１０ｄに記憶させる処理や、例えばＬＥＤを用いた７セグメントの表示モニタからなるデータ表示部１４にデータを表示させる処理や、後述の無線通信部１１から外部へデータを無線送信させる処理を行う。なおデータ記憶部１０ｄには、データ演算部１０ｃから入力されたデータが、そのデータの収集日時（データを収集した日付や時間など）と対応付けて格納されている。
【００３２】
無線通信制御部１０ａは所定の送信時間が経過する毎にデータ制御部１０ｂに対して未送信データの出力を要求する。データ制御部１０ｂは、無線通信制御部１０ａから未送信データの出力要求を受け取ると、データ記憶部３４に記憶された各種センサのデータからデータ集計サーバ２に対して未送信のデータを抽出して、無線通信制御部１０ａに出力する。そして、無線通信制御部１０ａは、データ制御部１０ｂから未送信データを受け取ると、受け取った未送信データを無線通信部１１から無線ＬＡＮアクセスポイント５に送信させ、無線ＬＡＮアクセスポイント５および通信ネットワークＮＴを介してデータ集計サーバ２に送信させる。
【００３３】
またデータ収集装置１には、外付けの検出手段して人感センサ１９、ＲＦＩＤブロック２０、熱感知センサ２１、煙感知センサ２２、雨量センサ（降雨センサ）２３、土壌温度センサ２４、土壌湿度センサ２５、温湿度センサ２６、カメラブロック２７などを接続可能であり、使用用途に合わせて何れかのセンサを取り付けて使用することができる。
【００３４】
人感センサ１９は、設置された住戸への侵入経路を検知エリアとして、検知エリア内にいる人物から放射される熱線を検出することによって、検知エリアにおいて監視対象である人の存否を検出する焦電型の赤外線検出素子で構成される。なお人物を検出するセンサとして、焦電型の赤外線検出素子からなる人感センサの代わりに熱画像センサを用い、熱画像センサから出力される熱画像に基づいて、検知エリアにおける人の存否を検出するようにしても良い。
【００３５】
ＲＦＩＤブロック２０は、各住戸の居住人が所持する記憶媒体（図示せず）との間で、電磁界を用いた非接触通信を行うことによって、記憶媒体に予め記憶させた個人識別情報を読み取る質問器で構成される。
【００３６】
熱感知センサ２１は、例えばサーミスタからなり、検出温度が所定のしきい値温度を超えると、監視対象である火災の発生を報知する火災感知信号を出力する。
【００３７】
煙感知センサ２２は、外光を遮断し且つ煙の流入を許可したラビリンス（図示せず）と、ラビリンス内に光を照射する発光部（図示せず）と、ラビリンス内に流入した煙によって散乱された光を受光する受光部（図示せず）とを備え、ラビリンス内に煙が流入して、受光部の受光量が所定の閾値を超えると、監視対象である火災の発生を報知する火災感知信号を出力する。
【００３８】
雨量センサ２３は、一定量の雨水が溜められる枡（図示せず）と、升に雨水が満水まで溜まると雨水の重さで升を傾けて雨水を排水させる機構（図示せず）を備え、排水の回数を計数することによって、監視対象である降雨状況（すなわち降雨量）を測定する。尚、升の容量が大きい場合には、雨水が溜まって排水されるまでの時間が長くなるので、降雨状況をリアルタイムで測定するためには、升の容量を比較的少なめに設定するのが好ましい。
【００３９】
土壌温度センサ２４は、土壌に差し込まれるプローブの先端に白金測温抵抗体などの感応部を配置してあり、監視対象である土壌の温度を検出する。
【００４０】
土壌湿度センサ２５は、土壌に差し込まれるプローブの先端に、電気抵抗式或いは電気容量式の湿度センサを組み込んであり、監視対象である土壌の湿度を検出する。
【００４１】
温湿度センサ２６は、例えば白金測温抵抗体などの温度センサと、電気抵抗式或いは電気容量式の湿度センサとを組み合わせて構成され、監視対象である雰囲気の温度および湿度を検出する。
【００４２】
カメラブロック２７は、例えばＣＣＤ撮像素子（図示せず）を具備して所定の撮像範囲の画像を撮像するカメラ部２８と、内部環境を計測する内部環境計測部２９と、内部環境の計測結果に基づいて内部環境を制御する内部環境制御部３０と、電源部３１とを備える。内部環境計測部２９は、例えば白金測温抵抗体などの温度センサと、電気抵抗式或いは電気容量式の湿度センサとを組み合わせて構成され、カメラブロック２７の筐体２７ａ内部の温度および湿度を検出する。そして、内部環境制御部３０は、内部環境計測部２９の計測結果に基づいて、筐体２７ａに設けたファン（図示せず）やヒータ（図示せず）や冷却装置（図示せず）などを制御することで、筐体２７ａ内部の温度や湿度を所定範囲に制御するものであり、外気温変化や雨氷や日射などの影響で内部環境が変化することによって、内蔵された電子部品が誤動作を起こさないように内部環境を制御している。
【００４３】
また外付けの検出手段としては、上記のセンサ以外にも日射量を検出する日射量センサ、風向および風速を検出する風向・風速計、音を検出する音センサ、水位を検出する水位センサ、空気中の花粉を測定する花粉センサ、大気中のＣＯ２濃度を測定するＣＯ２センサ、大気中のＳＯｘ濃度を測定するＳＯｘセンサ、大気中のＮＯｘ濃度を測定するＮＯｘセンサなどのセンサを使用することができる。なお、これらのセンサとしては従来周知のものを使用すれば良く、その構成は問わない。
【００４４】
また、図４はデータ集計サーバ２の概略構成を示すブロック図であり、全体的な制御を行う演算処理部４０と、通信ネットワークＮＴを介した通信を行う通信部４１と、通信部４１が各データ収集装置１から受信した各住戸５０の監視データをアドレス情報と対応付けて記憶する記憶部４２とを備えている。また演算処理部４０は、記憶部４２から読み出した各住戸の監視データをもとに、上記の監視対象を広域的に監視するとともに、監視結果を示す広域情報を通信部４１から各ユーザ端末３へ送信させる広域監視部４３を備えている。なおデータ集計サーバ２には広域監視を行うためのプログラムが格納されており、このプログラムを演算処理部４０が実行することによって、演算処理部４０の演算機能により広域監視部４３が実現されている。
【００４５】
本発明に係る広域監視システムＡは以上のような構成を有しており、以下では上記のシステムを用いて、近隣にある複数の住戸（例えば同じ町内にある住戸）への不審者の有無を広域的に監視し、これらの複数の住戸で不審者情報を共有するサービスについて、図５および図６を参照して説明する。
【００４６】
図５の適用例では、隣接する６戸の住戸５０ａ〜５０ｆの敷地にそれぞれデータ収集装置１ａ〜１ｆを設置するとともに、各データ収集装置１ａ〜１ｆとの間で無線通信が可能な位置に無線ＬＡＮアクセスポイント５を設置してある。また、各データ収集装置１ａ〜１ｆには、検出手段として上述の人感センサ１９とカメラブロック２７とが少なくとも接続されているものとする。尚、各住戸５０ａ〜５０ｆに設置されたデータ収集装置１ａ〜１ｆは同一の構成を有しており、データ収集装置の全体的な説明を行うときはデータ収集装置１と表記し、個々のデータ収集装置について説明するときはデータ収集装置１ａ，１ｂ…１ｆと表記する。
【００４７】
次に本システムによる広域監視動作を図６のフローチャートに従って説明する。データ収集装置１では、データ収集部１２が、センサＩ／Ｆ部１３に接続されたセンサから、予め設定されたサンプリング周期で検出データを収集するとともに（図６のステップＳ１）、データ演算部１０ｃが、データ収集部１２によって収集された生のデータを、ユーザが理解できる所定の単位のデータに変換する（ステップＳ２）。データ演算部１０ｃによるデータ変換が終了すると、データ制御部１０ｂが、データ演算部１０ｃから入力されたデータをデータ記憶部１０ｄに記憶させるとともに（ステップＳ３）、変換後のデータをデータ表示部１４に表示させる（ステップＳ４）。またデータ制御部１０ｂでは、前回送信時から所定の送信時間が経過したか否かを判断し（ステップＳ５）、送信時間が経過していなければ、上記サンプリング時間のＷａｉｔ処理を行った後（ステップＳ７）、ステップＳ１に戻って上記の処理を繰り返す。一方、ステップＳ５の判定において送信時間が経過していれば、データ制御部１０ｂは、データ記憶部１０ｄに記憶されたデータのうち未送信のデータを読み出して無線通信制御部１０ａに送り、無線通信制御部１０ａが無線通信部１１の動作を制御して未送信のデータをデータ集計サーバ２へ送信させた後（ステップＳ６）、上記サンプリング時間のＷａｉｔ処理を行い（ステップＳ７）、ステップＳ１に戻って上記の処理を繰り返す。
【００４８】
ステップＳ６の処理でデータ収集装置１から送信された各センサの検出データは、無線ＬＡＮアクセスポイント５および通信ネットワークＮＴを介してデータ集計サーバ２に送られる。データ集計サーバ２では、通信部４１が各データ収集装置１からの検出データを受信して（ステップＳ１１）、受信データを演算処理部４０に出力する。そして、演算処理部４０が通信部４１から入力された監視データを、送信元のデータ収集装置のアドレス情報と対応付けて記憶部４２に記憶させるとともに（ステップＳ１２）、広域監視部４３が、記憶部４２から読み出した各住戸５０ａ〜５０ｆの検出データをもとに監視対象を広域的に監視し（ステップＳ１３）、監視結果を示す広域情報を通信部４１から各ユーザ端末３へ送信させる（ステップＳ１４）。
【００４９】
そして、ステップＳ１４んでデータ集計サーバ２から送信された広域情報は、通信ネットワークＮＴを介して各住戸５０ａ〜５０ｆの居住人が使用するユーザ端末３に送られ、この広域情報を各ユーザ端末３が受信すると（ステップＳ１５）、各ユーザ端末３の表示部に広域情報が表示されるようになっている。
【００５０】
また各住戸の居住人が、パーソナルコンピュータからなるユーザ端末３を用いてデータ集計サーバ２或いはデータ収集装置１にアクセスすると、データ集計サーバ２或いはデータ収集装置１がアクセス（トリガ入力）に応じてデータ集計サーバ２の記憶部４２に記憶された各種の検出データや、データ収集装置１のデータ記憶部１０ｄに記憶された検出データをユーザ端末３に送信しているので、これらの検出データをユーザ端末３で閲覧することもできる。なお、データ収集装置１はＷｅｂサーバ機能を備え、データ収集装置１およびデータ集計サーバ２には、データ閲覧のための専用のＧＵＩ画面が用意されており、居住人がユーザ端末３を操作することによって、リアルタイムデータや過去のデータ（例えば過去１ヶ月間の検出データや過去１年間の検出データ）など所望の検出データの閲覧が行えるとともに、ＣＳＶ形式で検出データのダウンロードが行えるようになっている。
【００５１】
ここで、本システムによる不審者の監視処理について以下に説明する。例えば住戸５０ｄに設置されたデータ収集装置１ｄの人感センサ１９が検知エリアにおける人の存在を検知すると、人感センサ１９からの人体検知信号がセンサＩ／Ｆ部１３を介してデータ収集部１２に入力される。データ収集部１２では、上記のサンプリング周期に関係なく、人感センサ１９から人体検知信号が入力されると、この人体検知信号をデータ演算部１０ｃに出力する。データ演算部１０ｃは人体検知信号をそのままデータ制御部１０ｂに出力し、データ制御部１０ｂが人体検知信号をデータ記憶部１０ｄに記憶させるとともに、データ表示部１４に表示させた後、無線通信制御部１０ａを制御して無線通信部１１からデータ集計サーバ２に送信させる。
【００５２】
このとき、データ集計サーバ２では、通信部４１がデータ収集装置１ｄから送信された人体検知信号を受信して、演算処理部４０が人体検知信号を記憶部４２に記憶させるとともに、広域監視部４３が記憶部４２から読み出した監視データをもとに各住戸５０ａ〜５０ｆへの侵入者の有無を判断する。例えば居住人がユーザ端末３を用いて警戒状態に設定した住戸５０ｄにおいて、当該住戸５０ｄに設置されたデータ収集装置１ｄが不審者を検知すると、データ収集装置１ｄからデータ集計サーバ２に人体検知信号とカメラブロック２７で撮影された画像とが入力される。広域監視部４３では、データ収集装置１ｄから入力された人体検知信号（トリガ入力）に基づいて住戸５０ｄに不審者が侵入したと判断する。ここで、データ集計サーバ２には各データ収集装置１の設置場所の情報、つまり各住戸５０の位置情報が登録されており、住戸５０ｄに不審者が侵入した場合には、この住戸５０ｄとその近隣になる住戸５０ａ〜５０ｃ，５０ｅ，５０ｆの居住人が使用するユーザ端末３に、住戸５０ｄへの侵入者を報知する情報と、カメラブロック２７で撮影された画像データとを広域情報として通信部４１から送信させているので、各住戸５０ａ〜５０ｆの居住人はユーザ端末３（例えば宅内の表示モニタ３ａやテレビ３ｃ或いは携帯電話機３ｂなど）に表示された侵入者の報知情報やカメラブロック２７の画像から、住戸５０ｄに不審者が侵入したことを容易に確認でき、戸締まりを厳重にして侵入を警戒したり通報したりするといった対応をとることが可能になる。
【００５３】
このように本実施形態では、各住戸５０ａ〜５０ｆに設置されたデータ収集装置１が、対応する住戸５０ａ〜５０ｆへの侵入経路を検知エリアとして、検知エリアにおける人の存否を検出する人感センサ１９を検出手段として備え、データ集計サーバ２の広域監視部４３は、何れかのデータ収集装置１の人感センサ１９で人が検出されると、当該住戸の人感センサ１９が人を検出したことを示す広域情報を出力し、この広域情報を、同じエリア内（同じ町内、或いは、同じ自治会内）の住戸５０に居住する居住人のユーザ端末４へ通信部４１から送信させているので、データ集計サーバ２によって自宅や近隣の住戸５０への侵入者の有無を広域的に監視することができる。また、監視結果を示す広域情報を各ユーザ端末３へ送信することで、自宅や近隣の住戸５０に不審者が侵入した場合は、戸締まりを厳重にして侵入を警戒したり通報したりするといった対応をとることが可能になる。
【００５４】
（実施形態２）
本発明の実施形態２について以下に説明する。尚、広域監視システムＡのシステム構成および動作は実施形態１で説明したのと同様であるので、共通する構成要素には同一の符号を付して、その説明は省略する。
【００５５】
本実施形態の広域監視システムＡでは、近隣にある複数の住戸（例えば同じ町内、自治会内の住戸）において監視対象である火災の発生を広域的に監視して、これら複数の住戸の居住人で火災情報を共有するサービスを提供するものであり、各データ収集装置１には、検出手段として少なくとも熱感知センサ２１と煙感知センサ２２とが接続されているものとする。
【００５６】
ここで、本システムによる火災発生の監視処理について以下に説明する。何れかの住戸５０（５０ａ〜５０ｆ）に設置されたデータ収集装置１の熱感知センサ２１又は煙感知センサ２２が火災を感知すると、火災を感知した熱感知センサ２１又は煙感知センサ２２から火災感知信号がセンサＩ／Ｆ部１３を介してデータ収集部１２に入力される。データ収集部１２では、上記のサンプリング周期に関係なく、熱感知センサ２１又は煙感知センサ２２から火災感知信号が入力されると、この火災感知信号をデータ演算部１０ｃに出力する。データ演算部１０ｃは火災感知信号をそのままデータ制御部１０ｂに出力し、データ制御部１０ｂが火災感知信号をデータ記憶部１０ｄに記憶させるとともに、データ表示部１４に表示させた後、無線通信制御部１０ａを制御して無線通信部１１からデータ集計サーバ２に送信させる。
【００５７】
このとき、データ集計サーバ２では、通信部４１がデータ収集装置１ｄから送信された火災感知信号を受信して、演算処理部４０が火災感知信号を記憶部４２に記憶させるとともに、広域監視部４３が記憶部４２から読み出した監視データをもとに各住戸５０ａ〜５０ｆでの火災の有無を判断する。すなわち広域監視部４３では、何れかのデータ収集装置１から入力された火災感知信号（トリガ入力）に基づいて、何れかの住戸５０で火災が発生したと判断すると、同じエリア内（同じ町内、或いは、同じ自治会内）の住戸５０に居住する居住人のユーザ端末４へ、何れかの住戸５０で火災が発生したことを報知する広域情報（火災の発生場所を含む情報）を通信部４１から送信させているので、各住戸５０ａ〜５０ｆの居住人はユーザ端末３（例えば宅内の表示モニタ３ａやテレビ３ｃ或いは携帯電話機３ｂなど）に表示された火災報知情報から、自宅或いは近隣の住戸で火災が発生したことを容易に確認でき、避難や消火協力などの火事への対応をとることが可能になる。
【００５８】
このように本実施形態では、各住戸５０ａ〜５０ｆに設置されたデータ収集装置１が、住戸内での火災を検知する熱感知センサ２１及び煙感知センサ２２を検出手段として備え、データ集計サーバ２の広域監視部４３は、何れかのデータ収集装置１の熱感知センサ２１又は煙感知センサ２２で火災が検知されると、当該住戸で火災が発生したことを示す広域情報を出力し、当該広域情報を通信部４１が各ユーザ端末３に送信しているので、データ集計サーバ２によって複数個の住戸５０ａ〜５０ｆでの火災の有無を広域的に監視することができる。またデータ集計サーバ２が監視結果を示す広域情報を各ユーザ端末３へ送信することで、各住戸５０ａ〜５０ｆの居住人は、自宅或いは近隣の住戸で火災が発生したことを容易に確認でき、避難や消火協力などの火事への対応をとることが可能になる。
【００５９】
（実施形態３）
本発明の実施形態３について以下に説明する。尚、広域監視システムＡのシステム構成および動作は実施形態１で説明したのと同様であるので、共通する構成要素には同一の符号を付して、その説明は省略する。
【００６０】
本実施形態の広域監視システムＡでは、近隣にある複数の住戸において監視対象である降雨状況を広域的に監視して、これら複数の住戸の居住人で降雨情報を共有するサービスを提供するものであり、各データ収集装置１には、検出手段として少なくとも雨量センサ２３が接続されているものとする。
【００６１】
ここで、本システムによる降雨状況の監視処理について以下に説明する。各住戸に設置されたデータ収集装置１のデータ収集部１２では、所定のサンプリング周期が経過する毎に、センサＩ／Ｆ部１３に接続された各センサから検出データを収集する。ここで、何れかの住戸５０に設置されたデータ収集装置１の雨量センサ２３で降雨が検出されると、この雨量センサ２３からデータ収集部１２に検出データとして降雨量が出力される。
【００６２】
データ収集部１２では、雨量センサ２３から検出データとして降雨量のデータが入力されると、この降雨量データをデータ演算部１０ｃに出力し、データ演算部１０ｃは降雨量データ（例えば排水回数）を、ユーザが理解できる所定の単位のデータ（例えば雨量（ｍｌ）など）に変換し、変換後のデータをデータ制御部１０ｂに出力する。データ制御部１０ｂは、データ演算部１０ｃから変換後の降雨データが入力されると、この降雨データをデータ記憶部１０ｄに記憶させるとともに、データ表示部１４に表示させた後、無線通信制御部１０ａを制御して無線通信部１１からデータ集計サーバ２に送信させる。
【００６３】
このとき、データ集計サーバ２では、通信部４１がデータ収集装置１から送信された降雨データを受信し、演算処理部４０が降雨データを記憶部４２に記憶させるとともに、広域監視部４３が記憶部４２から読み出した降雨データ（監視データ）をもとに、同じエリア内（例えば同じ町内、同じ自治会内）にある住戸５０ａ〜５０ｆでの降雨状況を判断する。すなわち広域監視部４３では、データ収集装置１から入力された降雨データ（トリガ入力）に基づいて、何れかの住戸５０で降雨が観測されたと判断し、各住戸５０ａ〜５０ｆの居住人が使用するユーザ端末３に、降雨を観測した住戸やその降雨量を報知する広域情報を通信部４１から送信させているので、各住戸５０ａ〜５０ｆの居住人はユーザ端末３（例えば宅内の表示モニタ３ａやテレビ３ｃ或いは携帯電話機３ｂなど）に表示された降雨情報（降雨場所や降雨量など）から、自宅或いは近隣の住戸で降雨が観測されたことを容易に確認でき、洗濯物の取り入れや外出時の雨対策などの対応をとることが可能になる。
【００６４】
このように本実施形態では、各住戸５０ａ〜５０ｆに設置されたデータ収集装置１が、監視対象として降雨状況（例えば降雨量）を測定する雨量センサ２３を検出手段として備え、データ集計サーバ２の広域監視部４３は、データ収集装置１の雨量センサ２３で降雨が検知されると、当該住戸での降雨量の測定データを広域情報を出力し、当該広域情報を通信部４１が各ユーザ端末３に送信しているので、データ集計サーバ２によって複数個の住戸５０ａ〜５０ｆでの降雨状況を広域的に監視することができる。またデータ集計サーバ２が監視結果を示す広域情報を各ユーザ端末３へ送信することで、各住戸５０ａ〜５０ｆの居住人は、自宅或いは近隣の住戸での降雨状況を容易に確認でき、洗濯物の取り入れや外出時の雨対策などの対応をとることが可能になる。
【００６５】
（実施形態４）
本発明の実施形態４について以下に説明する。尚、広域監視システムＡのシステム構成および動作は実施形態１で説明したのと同様であるので、共通する構成要素には同一の符号を付して、その説明は省略する。
【００６６】
本実施形態の広域監視システムＡでは、複数の住戸で居住人の帰宅を広域的に監視して、帰宅情報を同居者に報知するサービスを提供するものであり、外部から情報を読取可能な記憶媒体（図示せず）を各住戸の居住人に所持させるとともに、各居住人が所持した記憶媒体に、少なくとも個人識別情報を含む情報を予め記憶させている。また各データ収集装置１に、監視対象である記憶媒体との間で無線通信を行うことによって、記憶媒体から個人識別情報を読み取るＲＦＩＤブロック（無線通信手段）２０を検出手段として備えているものとする。また、データ収集装置１は、当該住戸の居住人に割り当てた個人識別情報が予め登録された記憶手段（図示せず）を備えているものとする。
【００６７】
ここで、本システムによる居住人の帰宅状況の監視処理について以下に説明する。何れかの住戸５０（５０ａ〜５０ｆ）に設置されたデータ収集装置１のＲＦＩＤブロック２０が、帰宅してきた居住人の所持する記憶媒体（図示せず）との間で、電磁界を用いた非接触通信を行うことによって、記憶媒体に予め記憶させた個人識別情報を読み取ると、この個人識別情報がセンサＩ／Ｆ部１３を介してデータ収集部１２に入力される。データ収集部１２では、上記のサンプリング周期に関係なく、ＲＦＩＤブロック２０から個人識別信号が入力されると、この個人識別情報をデータ演算部１０ｃに出力する。照合手段たるデータ演算部１０ｃは、データ収集部１２から入力された個人識別情報を、記憶手段に予め登録された個人識別情報と比較し、両者が一致すると、一致した個人識別情報やその個人名を示す情報をデータ制御部１０ｂに出力する。そして、データ制御部１０ｂでは、データ演算部１０ｃから入力された個人識別情報およびその個人名を監視データとしてデータ記憶部１０ｄに記憶させるとともに、データ表示部１４に表示させた後、無線通信制御部１０ａを制御して無線通信部１１からデータ集計サーバ２に送信させる。
【００６８】
このとき、データ集計サーバ２では、通信部４１がデータ収集装置１から送信された個人識別情報およびその個人名を受信し、演算処理部４０が個人識別情報および個人名を記憶部４２に記憶させており、演算処理部４０の広域監視部４３では、何れかのデータ収集装置１から個人識別情報および個人名を報知する監視データ（トリガ入力）が入力されると、入力された個人識別情報および個人名に対応する居住人の帰宅を報知する報知信号（例えば帰宅した居住人の名前）を、予め登録されたユーザ端末３へ送信する。例えば、ある住戸で居住人である子供の帰宅が検出されると、データ集計サーバ２から同居人である親の携帯電話機３ｂに子供の帰宅を知らせるメールなどを配信するようにすれば、外出先から子供の帰宅を確認でき、また帰宅予定の時刻を過ぎても子供の帰宅を報知するメールが配信されない場合には、子供に持たせた携帯電話に電話をかけるなどして所在を確認するといった対応をとることができる。
【００６９】
このように本システムでは、何れかのデータ収集装置１において、ＲＦＩＤブロック２０が居住人の所持する記憶媒体から読み取った個人識別情報と、記憶手段（図示せず）に登録されている個人識別情報とをデータ演算部１０ｃが照合した結果、両者が一致すると、一致した個人識別情報を報知する監視データがデータ収集装置１の送信手段からデータ集計サーバ２に送信されるので、データ集計サーバ２の広域監視部４３では、各住戸の居住人の帰宅状況を広域的に監視することができる。また広域監視部４３は、入力された個人識別情報に対応する居住人の帰宅を報知する報知信号を通信部４１から予め登録されたユーザ端末３へ送信させているので、ユーザ端末３の表示をもとに他の居住人の帰宅状況を遠隔から確認して、所在確認などの対応をとることができる。
【００７０】
（実施形態５）
本発明の実施形態５について以下に説明する。尚、広域監視システムＡのシステム構成および動作は実施形態１で説明したのと同様であるので、共通する構成要素には同一の符号を付して、その説明は省略する。
【００７１】
本実施形態の広域監視システムＡでは、複数の住戸で、各住戸に設けられた植物栽培用地の環境情報を広域的に監視して、環境情報を各住戸の居住人に報知するサービスを提供するものであり、各データ収集装置１には、監視対象である植物栽培用地の環境情報を検知する土壌温度センサ２４と土壌湿度センサ２５と温湿度センサ２６とが少なくとも接続されているものとする。
【００７２】
ここで、本システムによる植物栽培用地の環境情報を監視する処理について以下に説明する。各住戸に設置されたデータ収集装置１のデータ収集部１２では、所定のサンプリング周期が経過する毎に、センサＩ／Ｆ部１３に接続された各センサから検出データを収集する。なおデータ収集装置１のセンサＩ／Ｆ部１３には、各住戸に設けられた植物栽培用地（例えば庭など）の土壌温度を検出する土壌温度センサ２４と、植物栽培用地の土壌湿度（土中水分量）を検出する土壌湿度センサ２５と、植物栽培用地の雰囲気温度および雰囲気湿度を検出する温湿度センサ２６とが少なくとも接続されており、各センサ２３，２４，２５の検出データ（土壌温度、土壌湿度、雰囲気温度および雰囲気湿度）が植物栽培用地の環境情報としてデータ収集部１２に入力される。
【００７３】
データ収集部１２では、他のセンサの検出データとともに土壌温度センサ２４、土壌湿度センサ２５および温湿度センサ２６の検出データが入力されると、土壌温度センサ２４、土壌湿度センサ２５および温湿度センサ２６の検出データをデータ演算部１０ｃに出力し、データ演算部１０ｃは、土壌温度センサ２４、土壌湿度センサ２５および温湿度センサ２６の検出データ（例えば電圧値）を、ユーザが理解できる所定の単位のデータ（例えば温度（℃）、湿度（％）など）に変換し、変換後のデータをデータ制御部１０ｂに出力する。データ制御部１０ｂは、データ演算部１０ｃから変換後の土壌温度、土壌湿度、雰囲気温度および雰囲気湿度が入力されると、これらのデータをデータ記憶部１０ｄに記憶させるとともに、データ表示部１４に表示させた後、無線通信制御部１０ａを制御して無線通信部１１からデータ集計サーバ２に送信させる。
【００７４】
このとき、データ集計サーバ２では、通信部４１が各住戸のデータ収集装置１から送信された植物栽培用地の環境情報（土壌温度、土壌湿度、雰囲気温度および雰囲気湿度）を受信し、これらの環境情報を演算処理部４０が記憶部４２に記憶させており、演算処理部４０の広域監視部４３では、各データ収集装置１から環境情報（トリガ入力）が入力されると、この環境情報を記憶部４２から読み出した基準データと比較して、その比較結果を通信部４１から対応する住戸の居住人が使用するユーザ端末３へ送信させている。ここにおいて、データ集計サーバ２の記憶部４２には、土壌中の温度や雰囲気の温度および湿度に応じて、植物の生育に好適な土壌湿度の推奨範囲が基準データとして予め登録されており、この基準データと土壌湿度の検出結果とを比較した結果が広域情報としてユーザ端末３に送信される。
【００７５】
このように本実施形態では、各住戸５０ａ〜５０ｆに設置されたデータ収集装置１が、植物栽培用地の土壌温度、土壌湿度、雰囲気温度および雰囲気湿度をそれぞれ検出する土壌温度センサ２４、土壌湿度センサ２５および温湿度センサ２６を環境検知センサとして備え、データ集計サーバ２の広域監視部４３は、データ収集装置１の環境検知センサによって検出された植物栽培用地の環境情報（土壌温度、土壌湿度、雰囲気温度および雰囲気湿度）が入力されると、これらの環境情報を基準データと比較した結果を、対応する住戸の居住人が使用するユーザ端末３に送信しているので、各住戸の植物栽培用地の環境情報を広域的に監視することができ、且つ、ユーザ端末３に表示された比較結果をもとに、植物栽培用地の生育環境を調整することができる。ここで、データ集計サーバ２からユーザ端末３に比較結果を送信する際に、データ集計サーバ２の広域監視部４３が比較結果に応じた対応内容、例えば水やりを指示するメッセージや、施肥を指示するメッセージを作成して、通信部４１からユーザ端末３に送信するようにしても良く、各住戸の居住人は、ユーザ端末３に表示された比較結果の内容に応じて、何らかの対応をとることができる。
【図面の簡単な説明】
【００７６】
【図１】本実施形態の広域監視システムの概略構成図である。
【図２】同上に用いるデータ収集装置のブロック図である。
【図３】同上に用いるデータ収集装置の外観図である。
【図４】同上に用いるデータ集計サーバのブロック図である。
【図５】同上の広域監視処理を説明する説明図である。
【図６】同上の動作を説明するフローチャートである。
【符号の説明】
【００７７】
１  データ収集装置
２  データ集計サーバ
３  ユーザ端末
１１  無線通信部（送信手段）
１７，２６  温湿度センサ（検出手段）
１９  人感センサ（検出手段）
２０  ＲＦＩＤブロック（検出手段）
２１  熱感知センサ（検出手段）
２２  煙感知センサ（検出手段）
２３  雨量センサ（検出手段）
２４  土壌温度センサ（検出手段）
２５  土壌湿度センサ（検出手段）
２７  カメラブロック（検出手段）
４１  通信部（通信手段）
４２  記憶部（記憶手段）
４３  広域監視部（広域監視手段）
ＮＴ  通信ネットワーク
【図１】
2009253640.tif 000003
【図２】
2009253640.tif 000004
【図３】
2009253640.tif 000005
【図４】
2009253640.tif 000006
【図５】
2009253640.tif 000007
【図６】
2009253640.tif 000008